(57)【特許請求の範囲】
【請求項１】
ヘッドマウント型の眼検査装置であるヘッドマウントディスプレイと、
前記ヘッドマウントディスプレイを着脱可能で、かつ、前記ヘッドマウントディスプレイを固定状態で装着可能な固定器具と、
を備えることを特徴とするヘッドマウントディスプレイユニット。
【請求項２】
前記固定器具は、前記ヘッドマウントディスプレイを前傾姿勢に支持する
ことを特徴とする請求項１に記載のヘッドマウントディスプレイユニット。
【請求項３】
前記固定器具は、持ち運び可能である
ことを特徴とする請求項１または２に記載のヘッドマウントディスプレイユニット。
【請求項４】
ヘッドマウント型の眼検査装置であるヘッドマウントディスプレイを固定して使用するためのヘッドマウントディスプレイ固定器具であって、
前記ヘッドマウントディスプレイが着脱可能に装着され、かつ、当該装着された前記ヘッドマウントディスプレイを固定状態に保持する保持部材と、
前記保持部材を支持する支持機構と、
を備えることを特徴とするヘッドマウントディスプレイ固定器具。
【請求項５】
前記ヘッドマウントディスプレイの前後方向の傾き角度が調整可能である
ことを特徴とする請求項４に記載のヘッドマウントディスプレイ固定器具。
【請求項６】
前記ヘッドマウントディスプレイを使用するユーザーの顎を支える顎台を備える
ことを特徴とする請求項４または５に記載のヘッドマウントディスプレイ固定器具。
【請求項７】
前記顎台の位置が調整可能である
ことを特徴とする請求項６に記載のヘッドマウントディスプレイ固定器具。
【請求項８】
前記ヘッドマウントディスプレイを使用するユーザー以外の者に画像を表示するモニターを備える
ことを特徴とする請求項４〜７のいずれか１項に記載のヘッドマウントディスプレイ固定器具。
【請求項９】
前記モニターは、前記保持部材の前方または側方に表示面を向けた状態で配置されている
ことを特徴とする請求項８に記載のヘッドマウントディスプレイ固定器具。
【請求項１０】
前記モニターの向きが調整可能である
ことを特徴とする請求項８または９に記載のヘッドマウントディスプレイ固定器具。
【請求項１１】
左右一対の把持部を有するハンドルを備える
ことを特徴とする請求項４〜１０のいずれか１項に記載のヘッドマウントディスプレイ固定器具。
【請求項１２】
前記保持部材は、前記ヘッドマウントディスプレイに設けられた第１の端子部に対応する第２の端子部を有し、
前記保持部材に前記ヘッドマウントディスプレイを装着したときに、前記第１の端子部と第２の端子部とが電気的に接続される
ことを特徴とする請求項４〜１１のいずれか１項に記載のヘッドマウントディスプレイ固定器具。
【請求項１３】
前記第１の端子部および前記第２の端子部は、前記ヘッドマウントディスプレイに搭載された充電式電池に充電するための端子部である
ことを特徴とする請求項１２に記載のヘッドマウントディスプレイ固定器具。
【発明の詳細な説明】
【技術分野】
【０００１】
本発明は、ヘッドマウントディスプレイユニットおよびヘッドマウントディスプレイ固定器具に関する。
【背景技術】
【０００２】
画像表示装置として、ユーザーの頭部に装着して使用されるヘッドマウントディスプレイ（ＨＭＤ：Head Mount Display）が知られている。ヘッドマウントディスプレイは、主にゲーム機器やＡＶ（Audio/Visual）機器などの用途で提供されている。
【０００３】
その一方で、ヘッドマウントディスプレイを医療用の機器として活用する技術も知られている。具体的には、ヘッドマウントディスプレイを用いて眼の検査を行う、ヘッドマウント型の眼検査装置が知られている（たとえば、特許文献１）。この眼検査装置では、被検者の頭部にヘッドマウントディスプレイを装着し、この装着状態にもとで被検者の眼球に検査用の指標を呈示することにより、眼の検査を行う構成になっている。
【先行技術文献】
【特許文献】
【０００４】
【特許文献１】特開２０１４−１００２５４号公報
【発明の概要】
【発明が解決しようとする課題】
【０００５】
しかしながら、ヘッドマウント型の眼検査装置は、ゲーム機器用途などのヘッドマウントディスプレイと比べて重くなる傾向にある。このため、ヘッドマウントディスプレイを被検者の頭部に装着して使用する場合に、ヘッドマウントディスプレイの重さが少なからず被検者の首や肩に負担をかける。特に、被検者がお年寄りや子供の場合は、ヘッドマウントディスプレイの重さによって感じる身体的な負担が大きくなる。
【０００６】
本発明の主な目的は、ヘッドマウントディスプレイをユーザーの頭部に装着して使用するときの身体的な負担を軽減することができる技術を提供することにある。
【課題を解決するための手段】
【０００７】
（第１の態様）
本発明の第１の態様は、
ヘッドマウントディスプレイと、
前記ヘッドマウントディスプレイを着脱可能で、かつ、前記ヘッドマウントディスプレイを固定状態で装着可能な固定器具と、
を備えることを特徴とするヘッドマウントディスプレイユニットである。
（第２の態様）
本発明の第２の態様は、
前記固定器具は、前記ヘッドマウントディスプレイを前傾姿勢に支持する
ことを特徴とする上記第１の態様に記載のヘッドマウントディスプレイユニットである。
（第３の態様）
本発明の第３の態様は、
前記固定器具は、持ち運び可能である
ことを特徴とする上記第１または第２の態様に記載のヘッドマウントディスプレイユニットである。
（第４の態様）
本発明の第４の態様は、
前記ヘッドマウントディスプレイは、ヘッドマウント型の眼検査装置である
ことを特徴とする上記第１〜第３の態様のいずれかに記載のヘッドマウントディスプレイユニットである。
（第５の態様）
本発明の第５の態様は、
ヘッドマウントディスプレイを固定して使用するためのヘッドマウントディスプレイ固定器具であって、
前記ヘッドマウントディスプレイが着脱可能に装着され、かつ、当該装着された前記ヘッドマウントディスプレイを固定状態に保持する保持部材と、
前記保持部材を支持する支持機構と、
を備えることを特徴とするヘッドマウントディスプレイ固定器具である。
（第６の態様）
本発明の第６の態様は、
前記ヘッドマウントディスプレイの前後方向の傾き角度が調整可能である
ことを特徴とする上記第５の態様に記載のヘッドマウントディスプレイ固定器具である。
（第７の態様）
本発明の第７の態様は、
前記ヘッドマウントディスプレイを使用するユーザーの顎を支える顎台を備える
ことを特徴とする上記第５または第６の態様に記載のヘッドマウントディスプレイ固定器具である。
（第８の態様）
本発明の第８の態様は、
前記顎台の位置が調整可能である
ことを特徴とする上記第７の態様に記載のヘッドマウントディスプレイ固定器具である。
（第９の態様）
本発明の第９の態様は、
前記ヘッドマウントディスプレイを使用するユーザー以外の者に画像を表示するモニターを備える
ことを特徴とする上記第５〜第８の態様のいずれかに記載のヘッドマウントディスプレイ固定器具である。
（第１０の態様）
本発明の第１０の態様は、
前記モニターは、前記保持部材の前方または側方に表示面を向けた状態で配置されている
ことを特徴とする上記第９の態様に記載のヘッドマウントディスプレイ固定器具である。
（第１１の態様）
本発明の第１１の態様は、
前記モニターの向きが調整可能である
ことを特徴とする上記第９または第１０の態様に記載のヘッドマウントディスプレイ固定器具である。
（第１２の態様）
本発明の第１２の態様は、
左右一対の把持部を有するハンドルを備える
ことを特徴とする上記第５〜第１１の態様のいずれかに記載ヘッドマウントディスプレイ固定器具である。
（第１３の態様）
本発明の第１３の態様は、
前記保持部材は、前記ヘッドマウントディスプレイに設けられた第１の端子部に対応する第２の端子部を有し、
前記保持部材に前記ヘッドマウントディスプレイを装着したときに、前記第１の端子部と第２の端子部とが電気的に接続される
ことを特徴とする上記第５〜第１２の態様のいずれかに記載のヘッドマウントディスプレイ固定器具である。
（第１４の態様）
本発明の第１４の態様は、
前記第１の端子部および前記第２の端子部は、前記ヘッドマウントディスプレイに搭載された充電式電池に充電するための端子部である
ことを特徴とする上記第１３の態様に記載のヘッドマウントディスプレイ固定器具である。
【発明の効果】
【０００８】
本発明によれば、ヘッドマウントディスプレイをユーザーの頭部に装着して使用するときの身体的な負担を軽減することができる。
【図面の簡単な説明】
【０００９】
【図１】本発明の実施形態に係るヘッドマウントディスプレイユニットの構成例を示す斜視図である。
【図２】本発明の実施形態に係るヘッドマウントディスプレイユニットの構成例を示す正面図である。
【図３】本発明の実施形態に係るヘッドマウントディスプレイユニットの構成例を示す側面図である。
【図４】本発明の実施形態に係るヘッドマウントディスプレイの構成例を示す斜視図である。
【図５】本発明の実施形態に係るヘッドマウントディスプレイの光学系の構成を含む概略図である。
【図６】本発明の実施形態に係る固定器具（ヘッドマウントディスプレイ固定器具）の構成例を示す斜視図である。
【図７】本発明の実施形態に係る固定器具（ヘッドマウントディスプレイ固定器具）の構成例を示す側面図である。
【図８】ベース部、支柱部および台座部の組み付け状態を示す斜視図である。
【図９】保持部材の構成を示す斜視図である。
【図１０】挟持具の構成を示す斜視図である。
【図１１】保持部材に挟持具を取り付けた状態を示す斜視図である。
【図１２】顎台の構成を説明する斜視図である。
【図１３】本発明の他の実施形態に係るヘッドマウントディスプレイユニットの構成を示すもので、（Ａ）は正面図、（Ｂ）は側面図である。
【図１４】本発明のさらに他の実施形態に係るヘッドマウントディスプレイユニットの構成を示す正面図である。
【発明を実施するための形態】
【００１０】
以下、本発明の実施の形態について図面を参照しつつ詳細に説明する。
本発明の実施の形態においては、次の順序で説明を行う。
１．ヘッドマウントディスプレイユニットの全体構成
２．ヘッドマウントディスプレイの構成
３．ヘッドマウントディスプレイの光学系の構成
４．固定器具の構成
５．ヘッドマウントディスプレイユニットの使用手順
６．実施形態の効果
７．他の実施形態
８．変形例等
【００１１】
＜１．ヘッドマウントディスプレイユニットの全体構成＞
図１は本発明の実施形態に係るヘッドマウントディスプレイユニットの構成例を示す斜視図であり、図２は同正面図、図３は同側面図である。
図示したヘッドマウントディスプレイユニット１は、大きくは、ヘッドマウントディスプレイ２と、これを固定するための固定器具３と、を備えている。
【００１２】
ヘッドマウントディスプレイ２は、ユーザーの頭部に装着して使用されるものである。ヘッドマウントディスプレイ２は、種々の用途で使用することが可能であり、またその用途に応じて適切な機能を備えるものである。本実施形態では、一例として、ヘッドマウントディスプレイ２がヘッドマウント型の眼検査装置である場合を例に挙げて説明する。また、眼検査装置の中には、たとえば、視野検査装置、視力検査装置、眼筋機能検査装置などがあり、本発明はいずれの眼検査装置にも適用可能であるが、本実施形態では、その中でも視野検査装置に適用した場合を例に挙げて説明する。
【００１３】
固定器具３は、ヘッドマウントディスプレイ２を固定して使用するための器具（ヘッドマウントディスプレイ固定器具）である。すなわち、固定器具３は、もともと移動型として使用されるヘッドマウントディスプレイ２を所定の場所に固定し、据え置き型としても使用可能とするものである。
【００１４】
以下、ヘッドマウントディスプレイ２の構成と固定器具３の構成について順に説明する。なお、以降の説明では、固定器具３を用いて固定したヘッドマウントディスプレイ２をユーザーが頭部に装着して使用するときのユーザーを基準にして、図１に示すように、Ｘ方向を左右方向、Ｙ方向を前後方向、Ｚ方向を上下方向と規定する。
【００１５】
＜２．ヘッドマウントディスプレイの構成＞
図４は本発明の実施形態に係るヘッドマウントディスプレイの構成例を示す斜視図である。
図示したヘッドマウントディスプレイ２は、後述する光学系等を内蔵する本体部５と、この本体部５をユーザーの頭部に装着するための装着具６と、を備えている。このヘッドマウントディスプレイ２は、ヘルメット型に類似した形式になっている。
【００１６】
（本体部）
本体部５は、実際にユーザーの頭部に装着されるものであって、前部７と中間部８と後部９とを一体に有している。このうち、前部７は、ユーザーの頭部に本体部５を装着した際に、ユーザーの眼前部から前頭部にかけて配置される。また、中間部８は、ユーザーの前頭部から頭頂部にかけて配置され、後部９は、ユーザーの頭頂部から後頭部にかけて配置される。
【００１７】
前部７には、画像表示のための光学系や表示素子などが内蔵されている。前部７の外面は、ユーザーの頭部の形状に沿うような曲面状に形成されている。前部７の両側には、左右一対の第１回転ツマミ１１と、左右一対の第２回転ツマミ１２とが設けられている。第１回転ツマミ１１は、ユーザーの瞳孔中心位置に光学系の中心位置（光軸の位置）を合わせるためのものである。第２回転ツマミ１２は、ユーザーの瞳孔位置から光学系の前段レンズ位置までの距離を合わせるためのものである。前部７の内面側には、ユーザーが両眼視でも片眼視でも画像を観察できるように、左右一対の覗き窓（不図示）が設けられ、さらにそれらの覗き窓の周辺に、ユーザーの額を押し当て可能なパッド部（不図示）が設けられている。
【００１８】
中間部８は、前部７と中間部８とを連結するように形成されている。前部７から中間部８に至る部分では本体部５の幅が左右方向から狭められ、中間部８から後部９に至る部分では本体部５の幅が左右方向に広げられている。このため、中間部８は、前部７や後部９よりも幅狭に形成されている。後部９には、後述するコンピュータが内蔵されている。また、後部９の後端面には、接続インターフェース部（不図示）が設けられている。接続インターフェース部は、後部９に内蔵されたコンピュータと外部の端末装置（不図示）とを通信可能に接続するためのものである。また、ヘッドマウントディスプレイ２には図示しないケーブルが付属しており、このケーブルが接続インターフェース部に接続可能に構成されている。
なお、本実施形態においては、上記のコンピュータと端末装置との間の通信を、ケーブルを用いた有線で行うことを想定しているが、本発明はこれに限らず、無線による通信方式を採用してもよい。
【００１９】
（装着具）
装着具６は、ヘッドマウントディスプレイ２を移動型で使用する場合に、ユーザーの頭部に本体部５を安定的に装着するために用いられるものである。装着具６は、本体部５に対して着脱可能に構成されている。装着具６は、ユーザーの頭部に巻き付け可能なベルト部１４と、このベルト部１４の長さを調節可能な調節部１５と、を備えている。ベルト部１４は、ユーザーの側頭部から後頭部にかけて巻き付けられるように、略Ｕ字形に形成されている。調節部１５は、ユーザーの頭囲（頭の周囲の長さ）にあわせてベルト部１４の長さを調節することにより、ユーザーの頭部に適度な締め付け力を加えたり、その締め付け力を開放したりするためのものである。
【００２０】
＜３．ヘッドマウントディスプレイの光学系の構成＞
図５は本発明の実施形態に係るヘッドマウントディスプレイの光学系の構成を含む概略図である。
図示のように、ヘッドマウントディスプレイ２は、表示光学系２００と、表示素子２４０と、観察光学系３００と、撮像素子３４０と、制御部４００と、被検者操作部４２０と、を備えている。本実施形態では、ヘッドマウントディスプレイ２を視野検査装置として用いる。その場合、ヘッドマウントディスプレイ２のユーザーは、視野検査を受ける被検者となる。表示光学系２００および表示素子２４０は、被検者に対して検査用の画像を表示するための構成要素となる。観察光学系３００および撮像素子３４０は、被検者の眼球１００を観察するための構成要素となる。表示素子２４０、被検者操作部４２０および撮像素子３４０は、図中符号Ａ，Ｂ，Ｃで示すように、それぞれ制御部４００に電気的に接続されている。なお、図５においては、被検者の片眼に対応する構成要素（２００，２４０，３００，３４０）を示しているが、実際には被検者の両眼に対応して上記構成要素が左右独立に設けられる。
【００２１】
本実施形態では、表示素子２４０に表示される検査用の画像に指標を含み、この指標を被検者に対して呈示する。視標とは、被検者の眼球に光による刺激を与えるために表示（呈示）される「点」や「図形」をいう。
【００２２】
（表示光学系）
表示光学系２００は、被検者の眼球１００が配置される眼球位置と表示素子２４０の表示面との間の光軸２８０ａ，２８０ｂ上に設けられている。具体的には、表示光学系２００は、被検者の眼球位置側から順に、第１レンズ２１０と、ミラー２２０と、第２レンズ群２３０とを配置した構成になっている。以下、各構成要素について説明する。なお、以降の説明では、被検者の眼球位置から表示素子２４０までの光軸２８０ａ，２８０ｂのうち、眼球位置からミラー２２０までの光軸を光軸２８０ａとし、ミラー２２０から表示素子２４０までの光軸を光軸２８０ｂとする。
【００２３】
第１レンズ２１０は、眼球位置からミラー２２０までの光軸２８０ａ上に配置されている。第１レンズ２１０は、正のパワーを有する非球面のレンズ（凸レンズ）を用いて構成されている。第１レンズ２１０は、ミラー２２０で反射して第１レンズ２１０に入射した光を被検者の瞳孔１０１に収束させる一方、被検者が瞳孔１０１を通して広角に物を見るときの光の発散を抑制するものである。
【００２４】
ミラー２２０は、眼球位置からミラー２２０までの光軸２８０ａ上において、第１レンズ２１０を間に挟んで眼球位置とは反対側に配置されている。ミラー２２０は、波長選択性を有するミラーを用いて構成されている。具体的には、ミラー２２０は、可視光を反射し、赤外線を透過するコールドミラーを用いて構成されている。
【００２５】
第２レンズ群２３０は、ミラー２２０から表示素子２４０までの光軸２８０ｂ上に配置されている。第２レンズ群２３０は、３つのレンズ２３２，２３４，２３６を用いて構成されている。３つのレンズ２３２，２３４，２３６は、ミラー２２０側から表示素子２４０側に向かって順に配置されている。
【００２６】
レンズ２３２は、正のパワーを有する非球面のレンズ（凸レンズ）を用いて構成されている。また、レンズ２３４は、負のパワーを有する非球面のレンズ（凹レンズ）を用いて構成され、レンズ２３６は、正のパワーを有する非球面のレンズ（凸メニスカスレンズ）を用いて構成されている。
【００２７】
（表示素子）
表示素子２４０は、ミラー２２０から表示素子２４０に至る光軸２８０ｂ上で、第２レンズ群２３０のレンズ２３６と対向するように配置されている。表示素子２４０は、たとえば、バックライトを備える液晶表示素子等の平面型表示素子を用いて構成されている。
【００２８】
（観察光学系）
観察光学系３００は、被検者の眼球１００を観察対象として、たとえば、瞳孔１０１、虹彩、強膜などを含む眼前部、あるいは、網膜１０２を含む眼底部などを観察するためのものである。観察光学系３００の構成要素は、赤外光源３１０を除いて、被検者の眼球位置から撮像素子３４０までの光軸２８０ａ，３８０ａ上に設けられている。具体的には、被検者の眼球位置側から順に、第１レンズ２１０と、ミラー２２０と、第３レンズ３２０とを配置した構成になっている。このうち、第１レンズ２１０とミラー２２０は、光軸２８０ａを含めて、上述した表示光学系２００と共通（共用）になっている。また、ミラー２２０から撮像素子３４０までの光軸３８０ａは、光軸２８０ａと略平行になっている。
【００２９】
赤外光源３１０は、被検者の眼球１００に赤外線を照射するものである。赤外光源３１０は、被検者の視野を妨げないように、被検者の眼球位置に対して斜め上方と斜め下方に分けて配置されている。そして、一方の赤外光源３１０は、被検者の眼球１００に対して斜め上方から赤外線を照射し、他方の赤外光源３１０は、被検者の眼球１００に対して斜め下方から赤外線を照射する構成になっている。
【００３０】
第３レンズ３２０は、ミラー２２０から撮像素子３４０に至る光軸３８０ａ上に配置されている。第３レンズ３２０は、正のパワーを有する非球面のレンズ（凸レンズ）を用いて構成されている。第３レンズ３２０は、第１レンズ２１０を対物レンズとして眼球１００を観察する場合に、眼球１００から第１レンズ２１０に入射し、かつミラー２２０を透過する光を、撮像素子３４０の撮像面に結像させるものである。
【００３１】
（撮像素子）
撮像素子３４０は、上述した観察光学系３００を介して被検者の眼球１００を撮像するものである。撮像素子３４０は、赤外線に対して感度を有するＣＣＤ（Charge Coupled Device）撮像素子、ＣＭＯＳ（Complementary Metal Oxide Semiconductor）撮像素子などを用いて構成されている。
【００３２】
上記構成からなる観察光学系３００および撮像素子３４０においては、被検者の眼球１００に赤外光源３１０から赤外線を照射しつつ、第１レンズ２１０、ミラー２２０および第３レンズ３２０を介して眼球１００の画像を撮像素子３４０で撮像することになる。
【００３３】
制御部４００は、ＣＰＵ（Central Processing Unit）、ＲＡＭ（Random Access Memory）、ＲＯＭ（Read Only Memory）、ＨＤＤ（Hard disk drive）、各種インターフェース等の組み合わせからなるコンピュータによって構成される。そして、制御部４００は、ＣＰＵがＲＯＭまたはＨＤＤに格納された所定のプログラムを実行することにより、各種の機能を実現するように構成されている。各機能を実現するための所定のプログラムは、コンピュータにインストールして用いられるが、そのインストールに先立ち、コンピュータで読み取り可能な記憶媒体に格納して提供されるものであってもよいし、あるいはコンピュータと接続する通信回線を通じて提供されるものであってもよい。
【００３４】
被検者操作部４２０は、被検者が操作するものである。被検者操作部４２０は、主に被検者が応答用に操作するものである。被検者操作部４２０としては、好ましくは、被検者が手で持って操作する手動式の被検者操作部、より好ましくは、被検者が手の指（たとえば、親指や人差し指など）で押圧操作する押圧式の被検者操作部を用いるとよい。その場合、被検者が被検者操作部４２０を押圧操作すると、被検者操作部４２０がオフ状態からオン状態に切り替わり、被検者操作部４２０からオン信号が出力される。このオン信号は制御部４００に取り込まれる。
【００３５】
上記構成からなるヘッドマウントディスプレイ２を使用すれば、動的量的視野検査（ゴールドマン視野検査）、静的量的視野検査、眼底視野検査（マイクロペリメトリー）、網膜電図検査（ＥＲＧ）その他の検査を行うことが可能である。ここでは一例として、静的量的視野検査を行う場合について説明する。
【００３６】
静的量的視野検査は、次のように行われる。まず、視野内の一点に視標を呈示し、その明るさを徐々に増していく。このとき、視標がある明るさになると、被検者から視標が見えるようになる。そこで、被検者が視標を見えるようになったときの明るさに対応する値を、そのときに視標を呈示している点での網膜感度とする。そして、視野内の各点について同様の測定を行うことにより、視野内の網膜感度の相違を量的に調べ、マップを作成する。このような静的量的視野検査には、自覚式検査と他覚式検査がある。本実施の形態のヘッドマウントディスプレイ２を使用すれば、いずれの方式の検査も行うことができる。以下、説明する。
【００３７】
自覚式検査は、次のように行われる。まず、ヘッドマウントディスプレイ２を被検者（ユーザー）の頭部に装着する。また、被検者の手に被検者操作部４２０を持たせる。次に、制御部４００の指令に基づき、表示素子２４０の表示面の一点に視野検査用の視標を表示する。このとき、最初は視標の明るさを暗くしておき、その後、徐々に視標の明るさを増していく。そうすると、最初のうちは暗くて被検者から視標が見えなくても、視標がある明るさになると被検者の網膜が光の刺激に反応し、被検者から視標が見えるようになる。このため、被検者から視標が見えるようになったときに、被検者に被検者操作部４２０を押してもらう。被検者が被検者操作部４２０を押すと、制御部４００にオン信号が送られる。このオン信号を受けて、制御部４００は、所定の処理を行い、そのときの視標の点の明るさに対応する値をその点の網膜の感度とする。以降は、視野内の各点について同様の測定を行うことにより、視野内の網膜感度の相違を量的に調べ、網膜の感度マップを作成する。
【００３８】
他覚式検査は、次のように行われる。まず、ヘッドマウントディスプレイ２を被検者の頭部に装着する。この場合は、被検者に被検者操作部４２０を持たせる必要はない。次に、制御部４００の指令に基づき、表示素子２４０の表示面の一点に視野検査用の視標を表示する。このとき、最初は視標の明るさを暗くしておき、その後、徐々に視標の明るさを増していく。そうすると、最初のうちは暗くて被検者から視標が見えなくても、視標がある明るさになると被検者の網膜が光の刺激に反応し、被検者から視標が見えるようになる。
【００３９】
その際、被検者の瞳孔１０１の大きさ（瞳孔径）が視標の明るさに応じて変化する。具体的には、被検者の瞳孔１０１の径が縮小する。このときの眼球１００の状態変化を撮像する。眼球１００の撮像は、赤外光源３１０から眼球１００に向けて赤外線を照射し、これによって得られる眼球１００の像光を、観察光学系３００を介して撮像素子３４０の撮像面に結像させることにより行う。眼球１００の撮像を開始するタイミングは、たとえば、表示素子２４０の表示面に視標を表示する前のタイミング、あるいは、視標の表示と同時に設定すればよい。ちなみに、人間の網膜は、赤外線に対して感度を持たないため、眼球１００の状態変化に影響を与えることはない。
【００４０】
撮像素子３４０を用いて撮像された眼球１００の画像データは、制御部４００に取り込まれる。制御部４００は、視標の明るさを徐々に増やす過程で、被検者の瞳孔径が視標の明るさに反応して変化（縮小）したかどうかを、撮像素子３４０から送り込まれる画像データに基づいて判断する。そして、被検者の瞳孔径が変化したと判断すると、そのときの視標の点の明るさに対応する値をその点の網膜上の感度とする。以降は、視野内の各点について同様の測定を自動的に次々と行うことにより、視野内の網膜上の感度の相違を量的に調べ、網膜上の感度マップを自動的に作成する。なお、他覚式検査は、表示素子２４０の表示面の一点に明るい視標を表示し、瞳孔径の縮小の度合いを観察することにより感度マップを作成する単一閾上刺激法によって行ってもよい。
【００４１】
＜４．固定器具の構成＞
図６は本発明の実施形態に係る固定器具（ヘッドマウントディスプレイ固定器具）の構成例を示す斜視図であり、図７は同側面図である。
図示した固定器具３は、ベース部材２１と、支柱２２と、台座部２３と、保持部材２４と、挟持具２５と、顎台２６と、を備えた構成になっている。固定器具３は、これを設置する場所や向きを変えられるように、持ち運び可能に構成されている。
【００４２】
（ベース部材）
ベース部材２１は、固定器具３全体を支える土台となるものである。ベース部材２１は、たとえば、ステンレスや真鍮などの金属材料（合金を含む）を用いて構成することが可能である。ベース部材２１は、平面視矩形の板状に形成されている。ただし、ベース部材２１の形状は矩形以外の形状であってもよい。また、ベース部材２１の厚さは、一様に同じ厚さになっていてもよいし、部分的に異なる厚さになっていてもよい。
【００４３】
（支柱）
支柱２２は、たとえば上記のベース部材２１と同様に、ステンレスや真鍮などの金属材料（合金を含む）を用いて構成することが可能である。支柱２２は、ベース部材２１の中心部に垂直に起立する状態で設けられている。支柱２２は、図示しないネジ等を用いてベース部材２１に固定されている。
【００４４】
（台座部）
台座部２３は、たとえば樹脂材料を用いて構成することが可能である。台座部２３は、支柱２２の上端部に配置されている。台座部２３は、図示しないネジ等を用いて支柱２２に固定されている。これにより、ベース部材２１、支柱２２および台座部２３は、図８に示すように一体に組み付けられている。本発明における「支持機構」は、図８に示すベース部材２１、支柱２２および台座部２３によって構成されている。この支持機構は、保持部材２４を支持するものである。
【００４５】
台座部２３には、座面２７が設けられている。座面２７は、保持部材２４の下部を受けて支えるものである。座面２７は、側面視略Ｌ字形に形成されている。また、台座部２３には、保持部材２４を台座部２３に固定するための第１固定用孔２８と、顎台２６を台座部２３に固定するための第２固定用孔２９とが形成されている。このうち、第１固定用孔２８は丸孔になっており、第２固定用孔２９は長孔になっている。第２固定用孔２９を長孔にする理由は、顎台２６の位置を調整可能とするためである。
【００４６】
（保持部材）
保持部材２４は、ヘッドマウントディスプレイ２を固定状態に保持するものである。この保持部材２４には、ヘッドマウントディスプレイ２が着脱可能に装着される。保持部材２４は、たとえば上記の台座部２３と同様に、樹脂材料を用いて構成することが可能である。保持部材２４は、ヘッドマウントディスプレイ２の前部７の外面形状に沿うように側面視略弓形に形成されている。保持部材２４には、図９にも示すように、第１受け部３１と、第２受け部３２とが形成されている。第１受け部３１および第２受け部３２は、保持部材２４の内面側に形成されている。第１受け部３１は、ヘッドマウントディスプレイ２の前部７の外面を前方で受けて支えるものである。第１受け部３１は、ヘッドマウントディスプレイ２の前部７の外面を第１受け部３１で受けて支えたときに、両者が密着した状態となるように、前部７の外面形状に倣って湾曲している。第２受け部３２は、ヘッドマウントディスプレイ２の前部７の最下部を下方で受けて支えるものである。第２受け部３２は、第１受け部３１の下端部から後方に向けて略直角に屈曲する状態で、保持部材２４に一体に形成されている。
【００４７】
また、保持部材２４の下部には、ネジ孔３３が形成されている。ネジ孔３３は、台座部２３に対して保持部材２４を着脱可能に取り付けるために、保持部材２４に設けられたものである。ネジ孔３３は、台座部２３の第１固定用孔２８に対応する位置に設けられている。このネジ孔３３は、台座部２３の座面２７に保持部材２４の下部を載せたときに、第１固定用孔２８とネジ孔３３とほぼ同軸に配置される。
【００４８】
実際に台座部２３に保持部材２４を取り付ける場合は、図示しない締め付けツマミを用いる。この締め付けツマミは、雄ネジ部を一体に有するものである。締め付けツマミの雄ネジ部は、台座部２３の第１固定用孔２８を通して保持部材２４のネジ孔３３に螺合される。この螺合状態で締め付けツマミを一方向に回転させることにより、台座部２３に対して保持部材２４を締め付けて固定できるようになっている。また、締め付けツマミによる締め付けを緩めた状態では、締め付けツマミの雄ネジ部を中心として保持部材２４を図７のＦ方向に揺動可能となっている。保持部材２４の揺動動作は、保持部材２４に装着されるヘッドマウントディスプレイ２の前後方向の傾き角度を調整可能とするための動作である。一方、保持部材２４の上部には、左右に対をなして２つの雌ネジ部（不図示）が形成されている。これらの雌ネジ部は、保持部材２４に挟持具２５をネジ止めで取り付けるためのものである。
【００４９】
（挟持具）
挟持具２５は、保持部材２４にヘッドマウントディスプレイ２を固定するために、ヘッドマウントディスプレイ２の一部を挟持するものである。挟持具２５は、たとえば上述した保持部材２４と同様に、樹脂材料を用いて構成することが可能である。挟持具２５は、図１０に示すように、２つの脚部３４と、これらを連結する連結部３５と、を一体に有している。各々の脚部３４には軸孔３６が形成されている。この軸孔３６は、保持部材２４に挟持具２５を取り付けるときに、保持部材２４の雌ネジ部に位置合わせされる。この状態で図示しない固定用のネジを軸孔３６に通して保持部材２４の雌ネジ部に螺合させることにより、図１１に示すように保持部材２４に挟持具２５を固定することができる。
【００５０】
（顎台）
顎台２６は、ユーザーの顎を下から受けて支えるものである。顎台２６の上面部は、人間の顎の形状に適用するように凹面状に形成されている。顎台２６は、図１２に示すように、支軸３７に支持されている。顎台２６は、たとえば樹脂材料で構成されるもので、支軸３７の上端部に固定されている。顎台２６を支える支軸３７は、断面矩形の棒状に形成されている。また、支軸３７はブラケット３８に取り付けられている。ブラケット３８には突出部３９と２つのネジ孔４０（図１２では一方のみ表示）とが設けられている。突出部３９には、支軸３７の断面形状に対応して矩形の貫通孔４１が設けられ、この貫通孔４１に支軸３７が嵌挿されている。支軸３７を貫通孔４１に嵌挿した状態では、両者の嵌合部分に適度な摺動抵抗が作用し、この摺動抵抗をもって支軸３７が貫通孔４１の中心軸方向に移動可能となっている。また、顎台２６の位置は、支軸３７の移動によって調整可能となっている。
【００５１】
ネジ孔４０は、ブラケット３８を台座部２３に取り付けるために形成されたものである。実際にブラケット３８を台座部２３に取り付ける場合は、台座部２３の第２固定用孔２９にネジ孔４０を位置合わせし、その状態で図示しないネジを第２固定用孔２９に通してネジ孔４０に螺合させるとともに、そのネジを適度な力に締め付ける。これにより、台座部２３にブラケット３８を固定することができる（図６および図７を参照）。また、第２固定用孔２９に通したネジを緩めれば、第２固定用孔２９の長手方向にブラケット３８を移動させることができる。
【００５２】
＜５．ヘッドマウントディスプレイユニットの使用手順＞
次に、ヘッドマウントディスプレイユニットの使用手順について説明する。
本発明の実施形態に係るヘッドマウントディスプレイユニット１は、もともと移動型の形態で使用されるヘッドマウントディスプレイ２を、据え置き型の形態でも使用できるようにしたものである。このため、以降ではヘッドマウントディスプレイ２を据え置き型で使用する場合の手順について説明する。この使用手順には、ヘッドマウントディスプレイ２を固定器具３に装着する第１の段階と、ヘッドマウントディスプレイ２をユーザーの頭部に装着する第２の段階とが含まれる。以下、各段階の具体的な手順を説明する。
【００５３】
（第１の段階）
まず、固定器具３にヘッドマウントディスプレイ２を装着する。その際、ヘッドマウントディスプレイ２においては、本体部５から装着具６を取り外しておく。また、固定器具３においては、保持部材２４から挟持具２５を取り外しておく。その状態でヘッドマウントディスプレイ２の本体部５を固定器具３の保持部材２４に載せる。このとき、本体部５の前部７を保持部材２４の第１受け部３１と第２受け部３２に押し当てるようにする。
【００５４】
次に、挟持具２５を保持部材２４に取り付ける。このとき、挟持具２５の２つの脚部３４を本体部５の中間部８の両側に配置する。これにより、２つの脚部３４が本体部５の中間部８を跨いだ状態となる。その状態で挟持具２５の軸孔３６に固定用のネジを通すとともに、そのネジを保持部材２４側の雌ねじ部に螺合させて適度に締め付ける。そうすると、本体部５の中間部８が挟持具２５の連結部３５によって保持部材２４側に押圧される。これにより、本体部５の中間部８が挟持具２５により挟持された状態になる。
【００５５】
以上の手順でヘッドマウントディスプレイ２が固定器具３に装着される。これにより、ヘッドマウントディスプレイ２は、固定器具３の保持部材２４によって固定状態に保持される。ここで記述する「固定状態」とは、ヘッドマウントディスプレイ２を固定器具３に装着して使用する場合に、少なくとも実用上支障がない程度にヘッドマウントディスプレイ２を固定した状態をいう。実際にヘッドマウントディスプレイ２を使用する場合は、ユーザーはヘッドマウントディスプレイ２を頭部に被って左右の覗き窓を覗き込もうとパッド部に額を軽く押し当てる。このとき、パッド部を通してヘッドマウントディスプレイ２に加わる押圧力を保持部材２４で受け止めて、ヘッドマウントディスプレイ２を動かないように保持することができれば、実用上支障はない。この点、本実施形態では、保持部材２４の第１受け部３１に前部７の外面を密着させてヘッドマウントディスプレイ２を保持する構成になっているため、ユーザーがパッド部に額を押し当てたときの押圧力を保持部材２４全体でバランス良く受け止めることができる。
【００５６】
また、上述のように固定器具３にヘッドマウントディスプレイ２を装着すると、ヘッドマウントディスプレイ２は前傾姿勢に支持される。前傾姿勢とは、上記図５に示す光学系の光軸２８０ａが眼球位置から見て前方斜め下方に傾いて配置される状態をいう。この光軸の傾き角度をヘッドマウントディスプレイ２の前傾角度と定義すると、この前傾角度は、好ましくは、５度以上、７０度以下、より好ましくは、１５度以上、６０度以下、さらに好ましくは、２５度以上、５０度以下の条件で設定するとよい。前傾姿勢に支持されたヘッドマウントディスプレイ２をユーザーが頭部に装着する場合は、ヘッドマウントディスプレイ２の前傾姿勢にならってユーザーの頭部が前方に傾いた状態となる。このため、ヘッドマウントディスプレイ２の左右の覗き窓をユーザーが正面から真っ直ぐに覗き込むときは、ユーザーの視線も前方斜め下方に傾くことになる。
【００５７】
ちなみに、台座部２３に保持部材２４を固定している締め付けツマミを緩めた状態にすれば、台座部２３の座面２７に保持部材２４を載せたままで、保持部材２４を図７のＦ方向に揺動させることができる。このため、保持部材２４に装着されるヘッドマウントディスプレイ２の前後方向の傾き角度（本形態例では前傾角度）を調整することが可能となる。
【００５８】
（第２の段階）
次に、ヘッドマウントディスプレイ２をユーザーの頭部に装着する。このとき、ヘッドマウントディスプレイ２を装着した固定器具３は、卓上に設置しておけばよい。また、ユーザーは、ヘッドマウントディスプレイ２の後部９に向かい合うように椅子に座ってヘッドマウントディスプレイ２を頭部に装着すればよい。その際、顎台２６が邪魔にならないように、あらかじめ顎台２６の位置を下方に退避させておくとよい。その状態で、ユーザーはヘッドマウントディスプレイ２の位置にあわせて自身の頭部を本体部５の内側に入り込ませる。これにより、ユーザーの頭部にヘッドマウントディスプレイ２が被せられた状態になる。その際、ユーザーは本体部５のパッド部に額を押し当てて左右の覗き窓を覗き込むことにより、頭部の位置を決める。こうして頭部の位置を決めたら、その状態を維持しながら顎台２６の位置を上方に移動させてユーザーの顎に顎台２６を当てる。移動後の顎台２６の位置は、支軸３７と貫通孔４１との摺動抵抗を利用して保持することが可能である。また、これ以外にも、支軸３７に横方向からネジ等（不図示）を押し当てて顎台２６の位置を固定してもよい。これにより、ユーザーの頭部の動きがヘッドマウントディスプレイ２の本体部５と顎台２６によって規制される。
【００５９】
次に、ユーザーは、ヘッドマウントディスプレイ２の２つの覗き窓を覗き込みながら、第１回転ツマミ１１と第２回転ツマミ１２を適宜回転させることにより、瞳孔中心位置に光学系の中心位置を合わせるとともに、瞳孔位置から光学系の前段レンズ位置までの距離を合わせる。このとき、上述した表示素子２４０に位置合わせ用の画像を表示し、この画像を見ながらユーザーが第１回転ツマミ１１と第２回転ツマミ１２を適宜回転させるようにしてもよい。また、撮像素子３４０で撮像した眼球１００の画像データを外部の端末装置に送り、この端末装置の画面を見ながら検査者（ユーザー以外の者）が第１回転ツマミ１１と第２回転ツマミ１２を適宜回転させてもよいし、検査者がユーザーに調整の仕方を指示してもよい。
【００６０】
以上で、ヘッドマウントディスプレイ２を据え置き型で使用するための準備が完了となる。これにより、ヘッドマウントディスプレイ２を固定器具３に固定したまま視野検査を行うことが可能となる。なお、ヘッドマウントディスプレイ２の使用形態を据え置き型から移動型に戻す場合は、保持部材２４から挟持具２５と一緒に本体部５を取り外した後、本体部５に装着具６を取り付ければよい。
【００６１】
＜６．実施形態の効果＞
本発明の実施形態においては、ヘッドマウントディスプレイ２を固定器具３に装着することにより、ヘッドマウントディスプレイ２を一定の場所に固定した状態（据え置き型）で使用することが可能となる。これにより、ヘッドマウントディスプレイ２の重さは固定器具３で支えられるため、ヘッドマウントディスプレイ２を頭部に装着したユーザーには、ヘッドマウントディスプレイ２の重さが加わらなくなる。このため、ユーザーの身体的な負担を軽減することができる。その結果、子供からお年寄りまで幅広い年齢層のユーザーがほとんど負担を感じることなくヘッドマウントディスプレイ２を使用することが可能となる。このため、たとえばヘッドマウントディスプレイ２を視野検査装置などの眼検査装置として使用する場合は、被検者が子供やお年寄りであっても、被検者に負担をかけずに眼検査を行うことが可能となる。また、ヘッドマウントディスプレイ２は固定器具３に対して着脱可能になっているため、ヘッドマウントディスプレイ２を移動型と据え置き型のどちらの形態でも使用することが可能となる。
【００６２】
また、ヘッドマウントディスプレイには、眼鏡型、ゴーグル型、ヘルメット型などがあるが、本発明は特にヘルメット型またはそれに類似した形式のヘッドマウントディスプレイを用いる場合に適用して好ましいものである。以下にその理由を述べる。
眼鏡型のヘッドマウントディスプレイは非常に軽量に作られているため、使用中にヘッドマウントディスプレイの重さが原因でユーザーが首などに負担を感じることは皆無である。これに対して、ヘルメット型のヘッドマウントディスプレイは、眼鏡型に比べてかなり重くなる傾向にある。本実施形態におけるヘッドマウントディスプレイ２は、ヘルメット型に類似した形式になっていて、上記図５に示す光学系（２００，３００）や制御部４００などを本体部５に搭載しているため、重さが１．８ｋｇほどになる。このため、使用中にユーザーが首や肩などに負担を感じやすくなる。そうした場合、固定器具３を用いてヘッドマウントディスプレイ２を据え置き型で使用することができれば、ユーザーの身体的な負担を大幅に軽減することができる。ただし、本発明はヘルメット型のヘッドマウントディスプレイに限らず、ゴーグル型のヘッドマウントディスプレイを用いて構成してもよい。ゴーグル型のヘッドマウントディスプレイは、これに搭載される部品によって重さが変わるものの、ある程度以上の重さになるとユーザーが負担に感じるようになる。このため、ゴーグル型のヘッドマウントディスプレイに適用しても同様の効果が期待できる。
【００６３】
本発明の実施形態においては、固定器具３にヘッドマウントディスプレイ２を装着した場合に、固定器具３がヘッドマウントディスプレイ２を前傾姿勢に支持するため、ヘッドマウントディスプレイ２を使用するユーザーは、前部７の内側のパッド部に額を当てて頭部の重さを支えることができる。このため、ユーザーは、負担の少ない姿勢でヘッドマウントディスプレイ２を使用することができる。
【００６４】
本発明の実施形態においては、固定器具３が持ち運び可能に構成されているため、ヘッドマウントディスプレイ２を据え置き型で使用する場合でも、その使用場所を自由に選択したり変更したりすることができる。
【００６５】
本発明の実施形態においては、ヘッドマウントディスプレイ２の前後方向の傾き角度を調整可能としているため、ヘッドマウントディスプレイ２を使用するユーザーが楽に感じるように、ユーザーの姿勢に応じてヘッドマウントディスプレイ２の傾き角度を合わせることができる。また、ヘッドマウントディスプレイ２をユーザーが頭部に装着しやすいように、ヘッドマウントディスプレイ２の傾き角度を合わせることができる。これにより、ヘッドマウントディスプレイ２の使用感を向上させることが可能となる。
【００６６】
本発明の実施形態においては、固定器具３に顎台２６を設け、この顎台２６でユーザーの顎を支える構成になっている。このため、ヘッドマウントディスプレイ２を装着するユーザーの頭部の位置を安定させることができる。
【００６７】
本発明の実施形態においては、顎台２６の位置（特に、高さ方向の位置）を調整する機構を固定器具３に設けているため、ヘッドマウントディスプレイ２を使用するユーザーの頭部の大きさにあわせて顎台２６を適切な位置に移動させることができる。
【００６８】
＜７．他の実施形態＞
図１３は本発明の他の実施形態に係るヘッドマウントディスプレイユニットの構成を示すもので、（Ａ）は正面図、（Ｂ）は側面図である。
この実施形態においては、固定器具３にモニター５１が設けられている。モニター５１は、ヘッドマウントディスプレイ２を使用するユーザー以外の者に画像を表示するものである。モニター５１は、平面型の液晶表示装置や有機ＥＬ表示装置、あるいはタブレット端末などを用いて構成することができる。モニター５１の背面側には支持部材５２が固定されており、この支持部材５２を介してモニター５１がネジ止め等によって台座部２３に取り付けられている。
【００６９】
また、モニター５１は表示面５１ａを有し、この表示面５１ａを保持部材２４の前方に向けた状態で配置されている。保持部材２４の前方とは、上記図１に示すＹ方向の一方であって、保持部材２４に装着されたヘッドマウントディスプレイ２をユーザーが頭部に装着して使用する場合にユーザーの顔が向く方向をいう。
【００７０】
また、モニター５１の向きは調整可能になっている。モニター５１の向きを調整する機構としては、たとえばヒンジ機構などを用いることができる。これにより、たとえば図中二点鎖線で示すように、モニター５１の向きを調整することが可能となる。また、モニター５１の向きを調整する機構としては、ある軸周りの全方向に表示面５１ａを向けられるような構成を採用することが好ましい。具体的には、次のような構成を採用することが可能である。まず、固定器具３の安定性が損なわれないようにベース部２１をより大きなサイズとし、このベース部２１上に垂直方向に十分に長いポール（不図示）を立てる。また、このポールには、当該ポールの中心軸（垂直軸）周りに回転可能な留め具（不図示）を取り付ける。そして、モニター５１の向きを変えるときに、モニター５１が保持部材２４やヘッドマウントディスプレイ２等と干渉しないような高い位置で、モニター５１を留め具に装着する。このような構成を採用すれば、留め具の回転によってモニター５１（表示面５１ａ）を垂直軸回りの全方向に向けることが可能となる。また、上記ポールを門型（逆Ｕ字形）やＨ型とし、このポールの水平部分に上記同様に留め具を回転可能に取り付けた場合は、留め具の回転によってモニター５１（表示面５１ａ）を水平軸回りの全方向に向けることが可能となる。
【００７１】
この実施形態においては、固定器具３にモニター５１を設けたことにより、たとえばヘッドマウントディスプレイ２でユーザーが見ている画像と同じ画像をモニター５１に表示させることができる。これにより、ヘッドマウントディスプレイ２を使用中のユーザーがどのような画像を見ているかを、ユーザー以外の者がモニター５１を見て確認することができる。また、ヘッドマウントディスプレイ２を眼検査装置として使用する場合は、ヘッドマウントディスプレイ２を頭部に装着する被検者の正面に座って検査者がモニター５１の表示面５１ａを確認することができる。これにより、検査者は眼検査に必要な情報をモニター５１に表示しながら被検者に指示を与えることができる。また、撮像素子３４０で撮像した眼球の画像をモニター５１に表示すれば、この眼球画像を見ながら検査者が第１回転ツマミ１１や第２回転ツマミ１２を用いた調整作業を行うことが可能となる。
【００７２】
また、モニター５１の向きを調整可能な構成を採用しているため、上記ユーザー以外の者が見やすいようにモニター５１の向きを合わせることができる。
【００７３】
なお、モニター５１は、保持部材２４の側方（Ｘ方向の一方）に表示面５１ａを向けた状態で配置してもよい。この場合は、ヘッドマウントディスプレイ２を頭部に装着する被検者の横に座って検査者がモニター５１の表示面５１ａを確認することができる。
【００７４】
また、モニター５１の向きは、表示面５１ａを前方に向けた状態、表示面５１ａを後方に向けた状態、表示面５１ａを左方に向けた状態、表示面５１ａを右方に向けた状態、表示面５１ａを上方に向けた状態、表示面５１ａを下方に向けた状態のうち、少なくとも２つの異なる方向に変更可能な構成としてもよい。これにより、ヘッドマウントディスプレイユニット１や固定器具３の設置場所に応じて、モニター５１の向きを切り替えることができる。
【００７５】
図１４は本発明のさらに他の実施形態に係るヘッドマウントディスプレイユニットの構成を示す正面図である。
この実施形態においては、固定器具３にハンドル５３が設けられている。ハンドル５３は、保持部材２４よりも低い位置に配置されている。また、ハンドル５３は、連結部材５４を用いて支柱２２に固定されている。
【００７６】
ハンドル５３には左右一対の把持部５３ａが設けられている。把持部５３ａは、ハンドル５３の両端部に配置されている。把持部５３ａは、固定器具３に装着したヘッドマウントディスプレイ２をユーザーが使用する際に、ユーザーが両手で握る部分となる。把持部５３ａは、ユーザーが握りやすい太さに形成されている。また、把持部５３ａには、必要に応じて滑り止め処理を施すことができる。具体的には、把持部５３ａの表面をゴムなどの高摩擦材料で構成したり、把持部５３ａの表面に凹凸を設けたりするなどの処理を施すことができる。
【００７７】
この実施形態においては、保持部材２４に装着されたヘッドマウントディスプレイ２をユーザーが頭部に装着して使用する場合に、ユーザーが両手で左右の把持部５３ａを把持することで、ユーザーの姿勢を安定させることができる。また、ユーザーの手の力がベース部材２１に下向きに加わることで、ヘッドマウントディスプレイユニット１全体の姿勢を安定させることができる。
【００７８】
なお、ハンドル５３の位置は上下方向あるいは前後方向に調整可能な構成としてもよい。また、ハンドル５３の両端部を上向きに屈曲させることで、把持部５３ａの向きを縦向きにしてもよい。また、視野検査などで被検者が操作する被検者操作部４２０をたとえば押圧式のスイッチで構成し、その被検者操作部４２０を少なくとも左右いずれか一方の把持部５３ａに設けることにより、被検者が把持部５３ａを握ったままで被検者操作部４２０を操作可能（スイッチング操作可能）な構成としてもよい。
【００７９】
また、上述した実施形態の他にも、たとえば図示はしないが、ヘッドマウントディスプレイ２と固定器具３とにそれぞれ端子部を設けた構成を採用してもよい。具体的には、ヘッドマウントディスプレイ２に第１の端子部（たとえば、雄型端子）を設けるとともに、保持部材２４に第２の端子部（たとえば、雌型端子）を設け、保持部材２４にヘッドマウントディスプレイ２を装着したときに、第１の端子部と第２の端子部とが電気的に接続される構成を採用してもよい。
【００８０】
上記の構成を採用した場合は、たとえば、ヘッドマウントディスプレイ２に充電式電池が搭載されている場合に、この充電式電池に充電するための端子部として第１の端子部と第２の端子部を機能させることができる。その場合、第１の端子部は受電用の端子部となり、第２の端子部は給電用の端子部となる。これにより、ヘッドマウントディスプレイ２を固定器具３に装着するだけで自動的に充電を開始することができ、またその装着期間をそのまま充電期間に充てることができる。また、ヘッドマウントディスプレイ２を眼検査に用いる場合は、眼検査にかかる時間を充電に充てることができる。
【００８１】
ただし、第１の端子部と第２の端子部は、充電用の端子部として利用する以外にも、たとえば、ヘッドマウントディスプレイ２の制御部（コンピュータ）４００に対する信号の入力や制御部４００からの信号の出力にも利用することが可能となる。また、第２の端子部をモニター５１への入力端子とすれば、撮像素子３４０で撮像し、かつ、制御部４００で処理した眼球の画像をモニター５１に表示させることが可能となる。
【００８２】
＜８．変形例等＞
本発明の技術的範囲は上述した実施形態に限定されるものではなく、発明の構成要件やその組み合わせによって得られる特定の効果を導き出せる範囲において、種々の変更や改良を加えた形態も含む。
【００８３】
たとえば、上記実施形態においては、支柱２２に台座部２３を固定したが、これに限らず、支柱２２の軸方向（上下方向）に対して台座部２３の位置を調整可能な構成としてもよい。この構成を採用すれば、ユーザーの身長や座高に合わせて台座部２３の高さを調整することが可能となる。
【００８４】
また、上記実施形態においては、ヘッドマウントディスプレイ２を固定器具３に装着して使用する場合に、本体部５から装着具６を取り外すようにしたが、これに限らず、ユーザーの邪魔にならない位置に装着具６をずらして保持する機構を本体部５に設けてもよい。具体的には、たとえば、本体部５の後部９にフック部（不図示）を設け、このフック部に装着具６を引っかけて保持する機構を設けてもよい。
【００８５】
また、上記実施形態においては、ヘッドマウントディスプレイ２を固定器具３で前傾姿勢に支持するものとしたが、これに限らず、ヘッドマウントディスプレイ２を水平な姿勢または後方に傾いた姿勢に支持する構成であってもよい。ただし、ヘッドマウントディスプレイ２を前傾姿勢に支持した方が、ユーザーにかかる負担が軽くなるというメリットがある。
【００８６】
また、上記実施形態においては、固定器具３に顎台２６を設けているが、顎台２６は必要に応じて設けるようにすればよい。また、顎台２６を設ける場合は、保持部材２４と顎台２６との相対位置を、左右方向および／または前後方向に調整可能な構成としてもよい。
【００８７】
また、上記実施形態においては、卓上に設置して使用する固定器具３を例に挙げて説明したが、これに限らず、たとえば建物の天井や壁などにネジ止め等により設置して使用する固定器具であってもよい。また、卓上に設置して使用する固定器具３であれば、固定器具３の設置状態を安定させるために、ベース部材２１にクランプ機構（不図示）を設け、このクランプ機構によってベース部材２１を卓上に固定可能な構成を採用してもよい。また、卓上で固定器具３が動かないようにベース部材２１の底面に粘着シート（不図示）を貼り付けてもよい。
【００８８】
また、本発明を適用可能なヘッドマウントディスプレイ２の重さに特段の制限はないが、ユーザーの身体的な負担を軽減するという観点で考えると、本発明は、重さが５００ｇ以上のヘッドマウントディスプレイ２を用いる場合に適用して好適なものであり、重さが１ｋｇ以上のヘッドマウントディスプレイ２を用いる場合に適用するとより好適である。
【００８９】
また、本発明は、ヘッドマウントディスプレイを眼検査以外の医療用途、さらには医療以外の用途（たとえば、ゲーム機器、ＡＶ機器など）で使用する場合に適用してもかまわない。
【００９０】
また、本発明は、固定器具３に装着したヘッドマウントディスプレイ２をユーザーが椅子に座って使用する場合だけでなく、ユーザーが立ったままで使用する場合、あるいはユーザーが背もたれ付きの椅子やソファに寝そべって使用する場合などに適用してもかまわない。
【符号の説明】
【００９１】
１…ヘッドマウントディスプレイユニット
２…ヘッドマウントディスプレイ
３…固定器具
５…本体部
６…装着具
２１…ベース部材
２２…支柱
２３…台座部
２４…保持部材
２５…挟持具
２６…顎台
５１…モニター
５１ａ…表示面
５３…ハンドル
５３ａ…把持部
【図１】
0006618753.tif 000002
【図２】
0006618753.tif 000003
【図３】
0006618753.tif 000004
【図４】
0006618753.tif 000005
【図５】
0006618753.tif 000006
【図６】
0006618753.tif 000007
【図７】
0006618753.tif 000008
【図８】
0006618753.tif 000009
【図９】
0006618753.tif 000010
【図１０】
0006618753.tif 000011
【図１１】
0006618753.tif 000012
【図１２】
0006618753.tif 000013
【図１３】
0006618753.tif 000014
【図１４】
0006618753.tif 000015